(57)【要約】      （修正有）【課題】取り付け及び取り外し作業を効率良く行え、ねじ山の摩耗や破損等は生じ難く、さらには取り付け後の水栓本体の安定性を高めることができる省施工ナットを提供する。【解決手段】略筒状のナット本体１の一端側から突出し、該ナット本体の軸方向に移動可能なリングプレート２と、前記ナット本体の内周側に配され、該ナット本体の径方向に移動可能な複数のロックピース３とがカム機構を介して連動し、常時は、前記ロックピースの内周面に形成された雌ねじ面が前記雄ねじ部に噛み合わない程度にまで該ロックピースが拡径するのを妨げないように、前記リングプレートは前記ナット本体に支持された弾性部材４により前記ナット本体の一端側に付勢され、前記付勢に抗して前記リングプレートが前記ナット本体の他端側に向かって移動するのに伴い、前記ロックピースは縮径し、前記雌ねじ面が前記雄ねじ部に噛み合い可能となるように構成されている。【選択図】図１
2019157993.tif 000002
【特許請求の範囲】
【請求項１】
水栓本体を取付板に固定するために、前記取付板に形成された貫通孔に差し込まれた前記水栓本体の雄ねじ部に装着される省施工ナットであって、
略筒状のナット本体の一端側から突出し、該ナット本体の軸方向に移動可能なリングプレートと、前記ナット本体の内周側に配され、該ナット本体の径方向に移動可能な複数のロックピースとがカム機構を介して連動し、
常時は、前記ロックピースの内周面に形成された雌ねじ面が前記雄ねじ部に噛み合わない程度にまで該ロックピースが拡径するのを妨げないように、前記リングプレートは前記ナット本体に支持された弾性部材により前記ナット本体の一端側に付勢され、
前記付勢に抗して前記リングプレートが前記ナット本体の他端側に向かって移動するのに伴い、前記ロックピースは縮径し、前記雌ねじ面が前記雄ねじ部に噛み合い可能となるように構成されていることを特徴とする省施工ナット。
【請求項２】
前記ナット本体は、前記ロックピースによる該ナット本体の径方向の移動を案内し軸方向の移動を規制するガイドを有する請求項１に記載の省施工ナット。
【請求項３】
前記ナット本体の内周面と前記リングプレートの外周面とがセレーション嵌合するように構成されている請求項１または２に記載の省施工ナット。
【請求項４】
前記リングプレートの先端面に緩み止め用の溝を有する請求項１〜３の何れか一項に記載の省施工ナット。
【請求項５】
前記ナット本体及び前記リングプレートによって形成される内周面において、前記ロックピースが配されない部分に、他の部分より拡径した配管逃がし部が当該内周面の一端から他端まで延びている請求項１〜４の何れか一項に記載の省施工ナット。
【発明の詳細な説明】
【技術分野】
【０００１】
本発明は、例えば、水栓本体を流し台や洗面台等のカウンター（取付板）に取り付けるための省施工ナットに関する。
【背景技術】
【０００２】
従来、水栓本体を流し台等のカウンターに取り付ける際は、図１２（Ａ）に示すように、カウンターを構成する取付板（天板）５１に形成された貫通孔５２に、水栓本体５３下部の雄ねじ部５４を上方から差し込み、貫通孔５２の下側に至った雄ねじ部５４にロックナット５５を締め付けて固定している。なお、雄ねじ部５４が外周面に形成された取付筒５６内には給湯配管５７及び給水配管５８が通され、両配管５７，５８からの湯水は、水栓本体５３内で任意の割合で混合された後、水栓本体の５３吐出部（図示していない）から吐出される。
【先行技術文献】
【特許文献】
【０００３】
【特許文献１】特開平８−２６０５３３号公報
【発明の概要】
【発明が解決しようとする課題】
【０００４】
しかし、上記従来の方法では、雄ねじ部５４の下端から上端に至るまでロックナット５５を回転させる必要があり、その回転操作量が多く、作業効率が悪い。
【０００５】
そこで、特許文献１には、図１２（Ｂ）に示すように、下部部材５９と下部部材５９に嵌合するキャップ６０の間にナット本体６１及びナット本体６１を上部に付勢するスプリング６２を介在させること、ナット本体６１を複数個に分割した割ねじとし、その内周面には雄ねじ部５４に螺合する雌ねじ部６３を刻設し、外周面にはキャップ６０のテーパー孔６４に摺接する傾斜面を形成すること、下部部材５９に支持したスプリング６２の付勢力により常時は雌ねじ部６３が雄ねじ部５４と噛み合う位置に収縮し、雄ねじ部５４との軸方向への係合で雌ねじ部６３が大径となるようにテーパー孔６４に沿ってナット本体６１を拡開可能としたこと、が記載されている。
【０００６】
このように構成されたロックナット（固定ナット）を水栓本体５３の雄ねじ部５４に取り付けるには、雄ねじ部５４の外周面に沿わせたスライド移動によりカウンター（取付板５１）に接近させ、最後に回転締付を行うだけでよく、ロックナットの回転操作量が少なくて済むため、作業効率が良くなる。
【０００７】
しかし、特許文献１のロックナットは、雄ねじ部５４の外周面に沿ってスライド移動する際、ナット本体６１の雌ねじ部６３が水栓本体５３の雄ねじ部５４のねじ山を一つずつ飛び越えながら進むことになるので、このときの接触による雄ねじ部５４、雌ねじ部６３のねじ山の摩耗や破損、さらには不具合の発生が懸念される。
【０００８】
また、特許文献１のロックナットを緩める際に、カウンター（取付板５１）から遠ざかる方向にロックナットをスライド移動させようとしても、テーパー孔６４によってナット本体６１が内径方向に押し出され、拡開不能であるため、斯かるスライド移動は不可能であり、その取り外し作業は、従来一般のものと同様に手間が掛かる。
【０００９】
さらに、特許文献１のロックナットでは、ナット本体６１が複数個の割ねじに分割されているが、各割ねじは独立して動き得るため、締付時にがたつきによるねじ飛びが発生し易く、この場合、ロックナットが雄ねじ部５４に傾いて取り付けられてしまう恐れもある。
【００１０】
本発明は上述の事柄に留意してなされたもので、その目的は、取り付け及び取り外し作業を効率良く行え、ねじ山の摩耗や破損等は生じ難く、さらには取り付け後の水栓本体の安定性を高めることができる省施工ナットを提供することにある。
【課題を解決するための手段】
【００１１】
上記目的を達成するために、本発明に係る省施工ナットは、水栓本体を取付板に固定するために、前記取付板に形成された貫通孔に差し込まれた前記水栓本体の雄ねじ部に装着される省施工ナットであって、略筒状のナット本体の一端側から突出し、該ナット本体の軸方向に移動可能なリングプレートと、前記ナット本体の内周側に配され、該ナット本体の径方向に移動可能な複数のロックピースとがカム機構を介して連動し、常時は、前記ロックピースの内周面に形成された雌ねじ面が前記雄ねじ部に噛み合わない程度にまで該ロックピースが拡径するのを妨げないように、前記リングプレートは前記ナット本体に支持された弾性部材により前記ナット本体の一端側に付勢され、前記付勢に抗して前記リングプレートが前記ナット本体の他端側に向かって移動するのに伴い、前記ロックピースは縮径し、前記雌ねじ面が前記雄ねじ部に噛み合い可能となるように構成されている（請求項１）。
【００１２】
上記省施工ナットにおいて、前記ナット本体は、前記ロックピースによる該ナット本体の径方向の移動を案内し軸方向の移動を規制するガイドを有していてもよい（請求項２）。
【００１３】
上記省施工ナットにおいて、前記ナット本体の内周面と前記リングプレートの外周面とがセレーション嵌合するように構成されていてもよい（請求項３）。
【００１４】
上記省施工ナットが、前記リングプレートの先端面に緩み止め用の溝を有していてもよい（請求項４）。
【００１５】
上記省施工ナットの前記ナット本体及び前記リングプレートによって形成される内周面において、前記ロックピースが配されない部分に、他の部分より拡径した配管逃がし部が当該内周面の一端から他端まで延びていてもよい（請求項５）。
【発明の効果】
【００１６】
本願発明では、取り付け及び取り外し作業を効率良く行え、ねじ山の摩耗や破損等は生じ難く、さらには取り付け後の水栓本体の安定性を高めることができる省施工ナットが得られる。
【００１７】
すなわち、本願の各請求項に係る発明の省施工ナットでは、図１２（Ａ）に示す従来のロックナットとは異なり、雄ねじ部５４に取り付ける際に、雄ねじ部５４の下端から上端に至るまで省施工ナットを回転させる必要は無く、雄ねじ部５４の外周面に沿わせたスライド移動により取付板５１に接近させ、最後に回転締付を行うだけでよく、その回転操作量が少なくて済むため、作業効率が良くなる。
【００１８】
また、図１２（Ｂ）に示す従来のロックナットでは、締め付けた状態のロックナットを緩めるには、雄ねじ部５４の上端から下端に至るまでロックナットを回転させる必要があるが、本発明の省施工ナットは、ナット本体を緩める方向に回し、雄ねじ部５４に対する雌ねじ面の噛み合いが解除されれば、その後は、ナット本体を回転させる必要は無く、軸方向にスライド移動させて省施工ナットを取り外すことができるのであり、取り付けだけでなく取外し作業も効率良く行える。
【００１９】
また、上記スライド移動の際に、図１２（Ｂ）に示す従来のロックナットでは、ロックナットの雌ねじと雄ねじ部５４とが接触するので、ねじ山の摩耗が問題となる恐れがあるが、本発明の省施工ナットでは、雌ねじ面を雄ねじ部５４に接触させないようにすることができるので、ねじ山の摩耗、さらにはこれに伴う破損や不具合の発生が問題となり難い上、ねじ山どうしが接触しない分、締付作業もより効率よく快適に行える。
【００２０】
ここで、ナット本体を締め付ける際、各ロックピースはナット本体の径方向（縮径方向）に移動するが、各ロックピースは相互に独立して動き得るものであり、仮に締め付けが完了した時点で各ロックピースの位置が相互に軸方向にずれていると、緩みトルクが不安定になる恐れがある。しかし、請求項２に係る発明の省施工ナットでは、ガイドによって、ロックピースによるナット本体の径方向の移動を案内しつつ、軸方向の移動を規制することができるので、独立したロックピースどうしの軸方向の位置ずれが防止され、取り付け後の水栓本体の安定性を高めることができる。
【００２１】
また、リングプレートがナット本体の軸方向に対し斜めに傾くと、これに伴い、リングプレートとカム機構を介して連動する各ロックピースが均一に径方向に移動せず、ナット本体（省施工ナット）の締め付けの際に各ロックピースの雌ねじ面の噛み合いが不均一となり、がたつきが生じる恐れがある。しかし、請求項３に係る発明の省施工ナットでは、ナット本体の内周面とリングプレートの外周面とがセレーション嵌合し、リングプレートがナット本体の軸方向に対し斜めに傾くことが防止されるので、ナット本体（省施工ナット）の締め付けの際のがたつきを抑え、ひいてはねじ飛びの発生を防止することができる。
【００２２】
請求項４に係る発明の省施工ナットでは、リングプレートの先端面に設けた緩み止め用の溝により、締付後の緩み防止効果を付与ないし向上させることができる。
【００２３】
請求項５に係る発明の省施工ナットでは、配管逃がし部を設けたことにより、水栓本体に接続される配管の配置を行い易くなり、配管に斯かる負荷を軽減することもできる。
【図面の簡単な説明】
【００２４】
【図１】本発明の一実施の形態に係る省施工ナットの構成を概略的に示す分解斜視図である。
【図２】（Ａ）は前記省施工ナットの構成を概略的に示す平面図、（Ｂ）は同正面図、（Ｃ）は同底面図、（Ｄ）は（Ｂ）のＤ−Ｄ線切断断面図、（Ｅ）は（Ｂ）のＥ−Ｅ線切断断面図、（Ｆ）は（Ａ）のＦ−Ｆ線切断断面図、（Ｇ）は（Ｂ）のＧ−Ｇ線切断断面図である。
【図３】（Ａ）は前記省施工ナットの構成を概略的に示す右側面図、（Ｂ）は右側面側からみた同斜視図、（Ｃ）は同背面図、（Ｄ）は背面側からみた同斜視図、（Ｅ）は同左側面図、（Ｆ）は左側面側からみた同斜視図、（Ｇ）はリングプレートが没入した状態の前記省施工ナットの構成を概略的に示す右側面図である。
【図４】（Ａ）〜（Ｄ）は、前記省施工ナットの取り付け工程を概略的に示す説明図である。
【図５】（Ａ）〜（Ｃ）は、前記省施工ナットの取り外し工程を概略的に示す説明図である。
【図６】（Ａ）及び（Ｂ）は、前記省施工ナットのナット本体を一端側及び他端側から見た斜視図である。
【図７】（Ａ）は前記ナット本体の平面図、（Ｂ）は（Ａ）のＢ−Ｂ線切断断面図、（Ｃ）及び（Ｄ）は前記ナット本体の正面図及び底面図、（Ｅ）〜（Ｈ）は（Ａ）のＥ−Ｅ線、Ｆ−Ｆ線、Ｇ−Ｇ線、Ｈ−Ｈ線切断断面図、（Ｉ）及び（Ｊ）は（Ｃ）のＩ−Ｉ線、Ｊ−Ｊ線切断断面図、（Ｋ）〜（Ｍ）は（Ａ）のＫ−Ｋ線、Ｌ−Ｌ線、Ｍ−Ｍ線切断断面図である。
【図８】（Ａ）及び（Ｂ）は、前記省施工ナットのリングプレートを一端側及び他端側から見た斜視図である。
【図９】（Ａ）〜（Ｅ）は、前記リングプレートの平面図、正面図、底面図、左側面図及び右側面図、（Ｆ）は（Ｃ）のＦ−Ｆ線切断断面図、（Ｇ）及び（Ｈ）は（Ｂ）のＧ−Ｇ線及びＨ−Ｈ線切断断面図、（Ｉ）は（Ｃ）のＩ−Ｉ線切断断面図である。
【図１０】（Ａ）及び（Ｂ）は、前記省施工ナットのロックピースを内周側及び外周側から見た斜視図である。
【図１１】（Ａ）〜（Ｅ）は前記ロックピースの平面図、正面図、底面図、側面図及び背面図、（Ｆ）、（Ｇ）は（Ｂ）のＦ−Ｆ線、Ｇ−Ｇ線切断断面図、（Ｈ）は（Ｃ）のＨ矢視図、（Ｉ）は（Ｂ）のＩ部拡大図である。
【図１２】（Ａ）及び（Ｂ）は、従来のロックナット及びその改良例の構成を概略的に示す縦断面図である。
【発明を実施するための形態】
【００２５】
本発明の実施の形態について図面を参照しながら以下に説明する。
【００２６】
本例の省施工ナットは、図１２（Ａ）及び（Ｂ）に示す従来のロックナットと同様、水栓本体５３を取付板５１に固定するために、取付板５１に形成された貫通孔５２に差し込まれた水栓本体５３の雄ねじ部５４に装着されるロックナットである。
【００２７】
斯かる本例の省施工ナットは、図１に示すように、略筒状のナット本体１と、ナット本体１の一端側から突出し、ナット本体１の軸方向に移動可能なリングプレート２と、ナット本体１の周方向に分断された状態でナット本体１の内周側に配され、ナット本体１の径方向に移動可能な複数（本例では二つ）のロックピース（割ねじ）３と、ナット本体１に支持され、リングプレート２をナット本体１の一端側に付勢する弾性部材（本例ではばね）４とを具備する。以下では、各部材１〜４及び省施工ナットにつき、図１における上方側を一端側、下方側を他端側という。
【００２８】
組み立てた省施工ナットは、図２（Ａ）〜（Ｇ）及び図３（Ａ）〜（Ｆ）に示す状態となる。なお、省施工ナットが図３（Ｇ）の状態（リングプレート２が没入した状態）になるのは、弾性部材４の付勢に抗する力が省施工ナットに掛かった場合である。
【００２９】
省施工ナットを用いた水栓本体の取り付けは、以下の工程（１）〜（３）を実施することにより行える。
【００３０】
（１）図４（Ａ）に示すように、水栓本体の雄ねじ部５４を取付板５１の貫通孔５２に対し、取付板５１の表面側（上方）から裏面側（下側）に向かって差し込み、雄ねじ部５４が取付板５１の裏面側（下方）に突出した状態とする。
【００３１】
（２）取付板５１の裏面側（雄ねじ部５４が突出した側）において、省施工ナットの一端（リングプレート２）側が取付板５１側（上側）に向くようにしつつ、雄ねじ部５４の軸と省施工ナットの軸が略一直線上になるように省施工ナットを手に持ち、そのまま省施工ナットを取付板５１に当接するまで移動させる（図４（Ａ）及び（Ｂ）参照）。このとき、省施工ナットを軸回りに回転させる必要はない。
【００３２】
（３）取付板５１に省施工ナットのリングプレート２が当接した状態でナット本体１を取付板５１に向かって押し込みつつ、ナット本体１を軸回りに回転させ（図４（Ｃ）参照）、それ以上の回転が不能な状態になれば、雄ねじ部５４に対する省施工ナットの装着、つまり、省施工ナットを用いた水栓本体の取り付け、は完了する（図４（Ｄ）参照）。
【００３３】
以下、本例の省施工ナットの構成の詳細について説明する。なお、本例のナット本体１は図６（Ａ）及び（Ｂ）、図７（Ａ）〜（Ｍ）に示すように構成され、リングプレート２は図８（Ａ）及び（Ｂ）、図９（Ａ）〜（Ｉ）に示すように構成され、ロックピース３は図１０（Ａ）及び（Ｂ）、図１１（Ａ）〜（Ｉ）に示すように構成されている。
【００３４】
まず、リングプレート２は、ナット本体１に対しナット本体１の一端側に突出する状態で連結され、この連結が解除されない範囲でナット本体１の軸方向にスライド可能となっている（図３（Ａ）及び（Ｇ）参照）。
【００３５】
そして、常時は、弾性部材４による付勢に抗するような負荷が掛かっていないため、リングプレート２は弾性部材４に付勢されてナット本体１の一端側から最大限に突出しているのであり、上記工程（２）のとき（図４（Ａ）及び（Ｂ）参照）もこの状態にある。
【００３６】
ここで、リングプレート２がナット本体１の一端側から抜け切ることは、リングプレート２の係止爪５，６（図８（Ａ）及び（Ｂ）参照）と、ナット本体１の被係止部７，８（図６（Ａ）及び（Ｂ）参照）との係合によって防止される（図２（Ｆ）及び（Ｇ）参照）。
【００３７】
また、ナット本体１に対しリングプレート２をその軸方向にスライド可能とするために、リングプレート２において係止爪５，６が先端部に設けられた二対の雄片９（図８（Ａ）及び（Ｂ）参照）、ナット本体１において被係止部７，８が先端部に設けられた二対の雌片１０（図６（Ａ）及び（Ｂ）、図７（Ａ）、（Ｉ）参照）は、それぞれ軸方向に延びている。
【００３８】
図８（Ａ）及び（Ｂ）に示すように、二対の雄片９は各々、先端部に係止爪５を有する中央アーム１１と、中央アーム１１の左右に設けられ、先端部に係止爪６を有する一対のサイドアーム１２とを備える。
【００３９】
図６（Ａ）に示すように、二対の雌片１０は各々、先端部に被係止部８を有する二つの柱部１３と、二つの柱部１３の先端部どうしを繋ぎ中間部に被係止部７を有するブリッジ１４とを備える。
【００４０】
このように、工程（２）では（常時は）、リングプレート２は弾性部材４に付勢されてナット本体１の一端側から最大限に突出した状態となっているが、上記工程（３）のように、取付板５１に省施工ナットのリングプレート２が当接した状態でナット本体１を取付板５１に向かって押し込むと、図３（Ｇ）に示すように、リングプレート２はやがてナット本体１内に最大限没入した状態となる。ただし、このとき、リングプレート２のフランジ１５はナット本体１の外部に突出したままである。
【００４１】
そして、弾性部材４の付勢に抗してリングプレート２がナット本体１内に没入する方向に（ナット本体の他端側に向かって）移動するのに伴い、カム機構を介してリングプレート２と連動するロックピース３は縮径する方向に移動する（図４（Ｂ）及び（Ｃ）参照）。
【００４２】
ここで、カム機構は、ロックピース３の外周側に形成された縦リブ１６の突端面（先端面）に設けられ、ナット本体１の一端側に向かって外径（外方への突出量）が小さくなる傾斜面１７（図２（Ｇ），図１０（Ｂ）、図１１（Ｄ）参照）と、リングプレート２の内周面に設けられ、ナット本体１の一端側に向かって内径（内方への突出量）が小さくなる案内面１７Ａ（図９（Ｈ）参照）とで構成されている。図９（Ｇ）には、案内面１７Ａが占める領域を斜線で示してある。
【００４３】
斯かるカム機構により、常時は、ロックピース３の内周面に形成された雌ねじ面１８（図１０（Ａ）参照）が雄ねじ部５４に噛み合わない程度にまでロックピース３が拡径するのを妨げないように、リングプレート２はナット本体１に支持された弾性部材４によりナット本体１の一端側に付勢され（図４（Ａ）及び（Ｂ）参照）、この付勢に抗してリングプレート２がナット本体１の他端側に向かって移動するのに伴い、ロックピース３は縮径し、雌ねじ面１８が雄ねじ部５４に噛み合い可能となるように構成されている（図４（Ｃ）及び（Ｄ）参照）。
【００４４】
従って、上記工程（３）において、取付板５１に省施工ナットのリングプレート２が当接した状態でナット本体１を取付板５１に向かって押し込みつつ、ナット本体１を締め付け方向に回転させると（図４（Ｃ）参照）、ロックピース３は縮径し、雌ねじ面１８が雄ねじ部５４に噛み合うことになり、さらにその回転を継続すれば、やがて締め付けが完了し、ナット本体１はそれ以上の回転が不能な状態となる。
【００４５】
なお、このナット本体１の回転（締め付け）は、最終的には例えば工具を用いて強い力で行うのが好ましく、ナット本体１の他端面には、そうした工具の係合に利用可能な六角部１９を設けてある（図６（Ａ）及び（Ｂ）参照）。
【００４６】
ここで、図４（Ｃ）及び（Ｄ）に示すように、ナット本体１を締め付ける際、上述のように各ロックピース３はナット本体１の径方向（縮径方向）に移動するが、各ロックピース３は相互に独立して動き得るものであり、仮に締め付けが完了した時点で各ロックピース３の位置が相互に軸方向（上下）にずれていると、緩みトルクが不安定になる恐れがある。
【００４７】
そこで、本例では、ナット本体１に、ロックピース３によるナット本体１の径方向の移動を案内し軸方向の移動を規制するガイド２０（図６（Ａ）及び（Ｂ）参照）を設けてある。
【００４８】
詳述すると、図６（Ａ）及び（Ｂ）に示すように、ナット本体１は、他端側に内向きフランジ部２１を有し、この内向きフランジ部１の一端面において互いに１８０度離れた位置に二つの雌片１０を配し、さらに二つの雌片１０と９０度をなす位置に二つのガイド２０を設けてある（図７（Ａ）参照）。そして、ガイド２０は、縦断面Ｔ字状を呈する。
【００４９】
対して、ロックピース３の他端側中央には、ガイド２０の頭部に沿って摺動するスライド溝２２を、ロックピース３の内周面から外周面まで貫通するように設けてある（図１０（Ａ）及び（Ｂ）参照）。
【００５０】
このように、本例の省施工ナットでは、ガイド２０によって、ロックピース３によるナット本体１の径方向の移動を案内しつつ、軸方向の移動を規制することができるので、独立したロックピース３どうしの軸方向の位置ずれが防止され、取り付け後の水栓本体の安定性を高めることができる。
【００５１】
さらに、図１に示すように、各ロックピース３の一端の左右に設けた一端側に突出する突出部２３の先端面をフラットに形成すると共に、図９（Ｈ）に示すように、リングプレート２の一端側において内向きに突出する受け部２４の他端面もフラットにしてあることにより、ナット本体１（省施工ナット）の締め付けが完了した状態では、フラットな突出部２３の先端面と受け部２４の他端面どうしが面接触するので、十分な緩みトルクが得られることになる。しかも、上記ガイド２０により、独立したロックピース３どうしの軸方向の位置ずれが防止されるので、確実な面当て（面接触）を行わせることができる。
【００５２】
また、上述のように、リングプレート２は、ナット本体１に対しナット本体１の一端側に突出する状態で連結され、この連結が解除されない範囲でナット本体１の軸方向にスライド可能となっているが（図３（Ａ）及び（Ｇ）参照）、リングプレート２がナット本体１の軸方向に対し斜めに傾くと、これに伴い、リングプレート２とカム機構を介して連動する各ロックピース３が均一に径方向に移動せず、ナット本体１（省施工ナット）の締め付けの際に各ロックピース３の雌ねじ面１８の噛み合いが不均一となり、がたつきが生じる恐れがある。
【００５３】
そこで、本例では、ナット本体１の内周面とリングプレート２の外周面とがセレーション嵌合するように構成してある。すなわち、図６（Ａ）及び（Ｂ）に示すように、ナット本体１の内周面にインナーセレーション２５を設け、図８（Ａ）及び（Ｂ）に示すように、リングプレート２の外周面にアウターセレーション２６を設けてある。これにより、リングプレート２がナット本体１の軸方向に対し斜めに傾くことが防止されるので、ナット本体１（省施工ナット）の締め付けの際のがたつきを抑え、ひいてはねじ飛びの発生を防止することができる。
【００５４】
また、本例では、省施工ナットの締付後の緩み防止効果を付与ないし向上させることができるように、リングプレート２の先端面に、放射状に延びる緩み止め用の溝２７（図８（Ａ）参照）を多数設けてある。これにより、菊座金を設けた場合と同様の効果を期待することができる。ここで、省施工ナットを雄ねじ部５４に装着する際、省施工ナットと取付板５１の間には、パッキンを配しておくのが好ましく、具体的には、取付板５１側から、例えばニトリルゴム（ＮＢＲ）の取付パッキン及びポリエチレン製の滑りパッキン（ともに図示していない）をこの順に配することが考えられる。
【００５５】
さらに、本例では、ナット本体１及びリングプレート２によって形成される内周面において、ロックピース３が配されない部分に、他の部分より拡径した配管逃がし部２８が当該内周面の一端から他端まで延びている（図２（Ａ）、（Ｄ）、（Ｅ）参照）。この配管逃がし部２８を設けたことにより、水栓本体５３に接続される給湯配管５７、給水配管５８（図１２参照）の配置を行い易くなり、両配管５７，５８に斯かる負荷を軽減することもできる。その上、本例では、図７（Ｂ）、（Ｊ）に示すように、ナット本体１の内向きフランジ部２１の内周面を、他端側に向かって拡径するテーパー面としてあるので、水栓本体５３の取付け後、例えば両配管５７，５８を省施工ナットの下方から前後左右に大きく引き出す際に両配管５７，５８に掛かる負荷も軽減される。
【００５６】
上記工程（２）において、省施工ナットを取付板５１に当接するまで移動させる際（図４（Ａ）及び（Ｂ）参照）、ロックピース３の雌ねじ面１８が雄ねじ部５４に接触するとねじ山が摩耗する恐れがあるので、ロックピース３は拡径方向に移動した位置にあるのが好ましい。
【００５７】
そこで、本例では、ロックピース３の下部（他端部）に、下方（他端側）に突出し、相互に平行に延びるスライド突起２９を複数設け（図１１（Ｂ）及び（Ｃ）参照）、ナット本体１の内向きフランジ部２１の一端面（上面）において雌片１０及びガイド２０を避けた位置に、スライド突起２９を案内するガイド溝３０を設けてあるが（図６（Ａ）及び（Ｂ）参照）、スライド突起２９の下面をロックピース３の内径側ほど一端側に位置する（高くなる）ように傾斜させると共に（図１１（Ｄ）参照）、スライド突起２９の下面が当接するガイド溝３０の底面もナット本体１の内径側ほど一端側に位置する（高くなる）ように傾斜させ（図７（Ｇ），（Ｈ）参照）、省施工ナットの一端を上向きにした状態では、重力により、ロックピース３が拡径方向に移動した位置にあるように構成してある。
【００５８】
なお、ナット本体１の内向きフランジ部２１の一端面において、雌片１０、ガイド２０及びガイド溝３０の外周側には、弾性部材４を収容するための空間が形成される（図２（Ｆ），（Ｇ）参照）。
【００５９】
ここで、ナット本体１に対してリングプレート２が軸回りに相対的に回転することは、上述したナット本体１とリングプレート２とのセレーション嵌合と、雄ナット本体１の雌片１０及びリングプレート２の雄片９の係合とによって防止される。また、ナット本体１に対してロックピース３が軸回りに相対的に回転することは、上述したガイド２０及びスライド溝２２の係合と、ガイド溝３０及びスライド突起２９の係合とによって防止される。
【００６０】
また、ロックピース３がナット本体１の内周側に抜けることは、図２（Ｄ）及び（Ｅ）に示すように、ロックピース３の左右両側面に当接するリングプレート２の雄片９（サイドアーム１２）の側面によって防止される。ロックピース３がナット本体１の一端側に抜けることは、ロックピース３の一端側に突出した状態で位置するリングプレート２の受け部２４、及びロックピース３のスライド溝２２に係合するナット本体１のガイド２０により防止される。反対に、ロックピース３がナット本体１の他端側に抜けることは、ロックピース３の他端側に位置するナット本体１の内向きフランジ部２１により防止される。
【００６１】
一方、リングプレート２がナット本体１の他端側に抜けることは、ナット本体１及びロックピース３へのリングプレート２の接触により防止される。
【００６２】
上記構成からなる本例の省施工ナットでは、雄ねじ部５４に取り付ける際に、図１２（Ａ）に示す従来のロックナットとは異なり、雄ねじ部５４の下端から上端に至るまで省施工ナットを回転させる必要は無く、雄ねじ部５４の外周面に沿わせたスライド移動により取付板５１に接近させ、最後に回転締付を行うだけでよく、その回転操作量が少なくて済むため、作業効率が良くなる。
【００６３】
また、上記スライド移動の際に、図１２（Ｂ）に示す従来のロックナットでは、ロックナットの雌ねじと雄ねじ部５４とが接触するので、ねじ山の摩耗が問題となる恐れがあるが、本例の省施工ナットでは、雌ねじ面１８を雄ねじ部５４に接触させないようにすることができるので、ねじ山の摩耗、さらにはこれに伴う破損や不具合の発生が問題となり難い上、ねじ山どうしが接触しない分、締付作業もより効率よく快適に行える。
【００６４】
さらに、図１２（Ｂ）に示す従来のロックナットでは、締め付けた状態のロックナットを緩めるには、雄ねじ部５４の上端から下端に至るまでロックナットを回転させる必要があるが、本例の省施工ナットは、図５（Ａ）及び（Ｂ）に示すように、ナット本体１を緩める方向に回し、雄ねじ部５４に対する雌ねじ面１８の噛み合いが解除されれば、その後は、ナット本体１を回転させる必要は無く、図５（Ｃ）に示すように軸方向にスライド移動させて省施工ナットを取り外すことができるのであり、取り付けだけでなく取外し作業も効率良く行える。
【００６５】
なお、本発明は、上記の実施の形態に何ら限定されず、本発明の要旨を逸脱しない範囲において種々に変形して実施し得ることは勿論である。例えば、以下のような変形例を挙げることができる。
【００６６】
上記実施の形態では、ロックピース３を二つとしたが、三つ以上としてもよい。この場合、ロックピース３の数に応じてナット本体１及びリングプレート２の構成を適宜に変更すればよい。
【００６７】
カム機構は、上記構成のものに限らず、例えば、リングプレート２内周面又はロックピース３外周面の少なくとも何れか一方に設けられた、ナット本体１軸方向に対して傾斜するカム面によって構成してもよい。
【００６８】
上記各部材１〜４は、各々に必要とされる機能を発揮することができるように適宜の材料により構成すればよく、例えば、ナット本体１、リングプレート２及びロックピース３は合成樹脂製、弾性部材４は金属製とすることが考えられる。
【００６９】
本明細書で挙げた変形例どうしを適宜組み合わせてもよいことはいうまでもない。
【符号の説明】
【００７０】
１    ナット本体
２    リングプレート
３    ロックピース
４    弾性部材
５    係止爪
６    係止爪
７    被係止部
８    被係止部
９    雄片
１０    雌片
１１    中央アーム
１２    サイドアーム
１３    柱部
１４    ブリッジ
１５    フランジ
１６    縦リブ
１７    傾斜面
１７Ａ  案内面
１８    雌ねじ面
１９    六角部
２０    ガイド
２１    内向きフランジ部
２２    スライド溝
２３    突出部
２４    受け部
２５    インナーセレーション
２６    アウターセレーション
２７    緩み止め用の溝
２８    配管逃がし部
２９    スライド突起
３０    ガイド溝
５１    取付板
５２    貫通孔
５３    水栓本体
５４    雄ねじ部
５５    ロックナット
５６    取付筒
５７    給湯配管
５８    給水配管
５９    下部部材
６０    キャップ
６１    ナット本体
６２    スプリング
６３    雌ねじ部
６４    テーパー孔
【図１】
2019157993.tif 000003
【図２】
2019157993.tif 000004
【図３】
2019157993.tif 000005
【図４】
2019157993.tif 000006
【図５】
2019157993.tif 000007
【図６】
2019157993.tif 000008
【図７】
2019157993.tif 000009
【図８】
2019157993.tif 000010
【図９】
2019157993.tif 000011
【図１０】
2019157993.tif 000012
【図１１】
2019157993.tif 000013
【図１２】
2019157993.tif 000014